(57)【要約】【課題】  オイルに混入した異物をトラップ可能な構成を備えた防泡架台を提供することである。【解決手段】  内燃機関のオイルタンク上に設置され、前記オイルタンク内に回収するオイルを、傾斜板に沿って流すことにより泡立つことを防止する防泡架台において、前記傾斜板に、オイル中に混在する異物をトラップ可能な異物トラップ手段を設けた。前記傾斜板の表面に、多数の有底穴を設けることにより、前記異物トラップ手段を構成した。前記傾斜板の下端部を下に凸となるように湾曲させることにより、前記異物トラップ手段を構成した。【選択図】図１
2005042671.tif 000002
【特許請求の範囲】
【請求項１】
内燃機関のオイルタンク上に設置され、前記オイルタンク内に回収するオイルを、傾斜板に沿って流すことにより泡立つことを防止する防泡架台において、
前記傾斜板に、オイル中に混在する異物をトラップ可能な異物トラップ手段を設けたことを特徴とする防泡架台。
【請求項２】
前記傾斜板の表面に、多数の有底穴を設けることにより、前記異物トラップ手段を構成した請求項１に記載の防泡架台。
【請求項３】
前記傾斜板の下端部を下に凸となるように湾曲させることにより、前記異物トラップ手段を構成した請求項１に記載の防泡架台。
【発明の詳細な説明】
【技術分野】
【０００１】
本発明は、内燃機関に設けたオイルタンクに、オイルを回収する際に、オイルが泡立つことを防止するための防泡架台に関するものである。
【背景技術】
【０００２】
オイルに気泡が混じると、この気泡が、ミストダクト配管を逆流したり、内圧スイッチの接点を短絡させて、内燃機関の誤動作の原因となる。そのため、従来からオイルに気泡が混入しないように、オイルタンクに防泡架台を設けている。
【０００３】
図４は、従来の防泡架台２００の斜視図である。防泡架台２００は、山形鋼からなる４つの支柱９０の間に、平板である側板９１を配置し、支柱９０と側板９１とを溶接することにより一体固着してハウジングを構成している。図５は、このハウジングの内部を示す断面略図である。
【０００４】
このハウジングの内部に、傾斜板９２、９３（図５に示す）が溶接で一体固着されている。傾斜板９２、９３には、開口９４、９５が設けてある。内燃機関の各部を冷却し又は潤滑したオイル９６が、防泡架台２００上に落下する。オイル９６は、傾斜板９２に沿って流れ、開口９４から傾斜板９３上に落下し、さらに傾斜板９３の開口９５を介してオイルタンク９７内に落下して回収される。オイル９６は、傾斜板９２に沿って流れることにより、泡立つことを回避することができる。
【０００５】
ところで、このオイルタンク９７に回収されるオイル９６には様々な大きさの異物が混在している。この異物は、オイル９６と共に傾斜板９２、９３上を通過してオイルタンク９７に到達してしまう。
【０００６】
この異物が、ある程度以上の大きさであると、オイルが再利用された際に、内燃機関の破損の要因となり得る。例えばギアの破片がオイル９６に混入すると、その破片は、オイルと共にポンプアップされる恐れがある。
【０００７】
オイルタンク９７内に大きな異物が混入したことを、何らかの手段（例えば、内燃機関の振動パターン）で検出すると、従来は、オイルタンク９７内のオイルを全て抜き取り、オイルタンク９７を空にして異物を探さなければならず、メンテナンスに大変な手間と時間が掛かっていた.
【特許文献１】実開平６−３７５１１号公報
【発明の開示】
【発明が解決しようとする課題】
【０００８】
そこで本発明では、オイルに混入した異物をトラップ可能な構成を備えた防泡架台を提供することを課題としている。
【課題を解決するための手段】
【０００９】
上記課題を解決するため、請求項１の発明は、内燃機関のオイルタンク上に設置され、前記オイルタンク内に回収するオイルを、傾斜板に沿って流すことにより泡立つことを防止する防泡架台において、前記傾斜板に、オイル中に混在する異物をトラップ可能な異物トラップ手段を設けた。
請求項２の発明は請求項１の発明において、前記傾斜板の表面に、多数の有底穴を設けることにより、前記異物トラップ手段を構成した。
請求項３の発明は請求項１の発明において、前記傾斜板の下端部を下に凸となるように湾曲させることにより、前記異物トラップ手段を構成した。
【発明の効果】
【００１０】
請求項１の発明では、オイルに混入した異物をトラップ可能な異物トラップ手段を設けたので、オイルタンク内に異物が混入することを未然に防ぐことができる。また、オイルタンク内に異物が混入することを回避できるので、オイルタンクからオイルを抜き取ってメンテナンスを行う必要がなく、メンテナンスを飛躍的に簡素化することができる。
【００１１】
請求項２の発明では、有底穴を設けた傾斜板で異物トラップ手段を構成したので、オイルタンクのメンテナンス時には、防泡架台を回収し、有底穴に入った異物を除去するだけでよく、メンテナンスが非常に簡単である。
【００１２】
請求項３の発明では、傾斜板の下端部を湾曲させて、この湾曲した下端部で異物をトラップするようにしたので、請求項２と同様にオイルタンクのメンテナンスが楽である。また、傾斜板の加工が簡単であり、コストを掛けずに異物トラップ手段を提供することができる。
【発明を実施するための最良の形態】
【００１３】
図１は、請求項１〜３の発明を実施した防泡架台１００の斜視図である。防泡架台１００は、山型鋼からなる４つの支柱１の間に、側板２ａ、２ｂが配置されており、支柱１と側板２ａ、２ｂは、溶接により一体固着されている。この一体固着された支柱１と側板２ａ、２ｂとでハウジング１０が構成されている。
【００１４】
図２は、図１のハウジング１０内に設置する傾斜板３（又は４）の断面略図である。図２に示すように傾斜板３（又は４）上には、異物トラップ板１１（又は１２）が溶接により一体固着されている。異物トラップ板１１には、多数の貫通孔１３が設けてある。この貫通孔１３の一端が、傾斜板３により塞がれて有底穴１４が形成されている。傾斜板４も傾斜板３と同様に、多数の貫通孔を備えた異物トラップ板１２と溶接により一体固着されている。
【００１５】
図１に示すように、この異物トラップ板１１、１２が固着した傾斜板３、４が、ハウジング１０内に溶接により一体固着されて、防泡架台１００が構成されている。この防泡架台１００を、内燃機関の各部を潤滑又は冷却したオイルを回収するオイルタンク２０（図３）上に配置する。
【００１６】
図３は、オイルタンク２０上に設置した防泡架台１００のうち、傾斜板３、４のみを示した側面図である。オイルタンク２０は、落下してくるオイル７を回収し、貯留する。そのオイル７の落下箇所に、防泡架台１００を設置する。
【実施例】
【００１７】
図３に示すように、オイル７は、傾斜板３上に落下し、傾斜板３上の異物トラップ板１１に沿って流れる。その際、オイル７に混入した異物８が、異物トラップ板１１と傾斜板３とで形成した有底穴１４（図２）に嵌まり、トラップされる。オイル７は、下に凸となるように湾曲した傾斜板３の下端５を通過して、傾斜板４上に落下する。傾斜板３の下端５においても、オイル７に混入した異物８がトラップされる。
【００１８】
傾斜板４上においても、傾斜板３上と同様に異物がトラップされ、ある程度の大きさの異物８が排除されたオイル７がオイルタンク２０に回収される。オイルタンク２０に回収されたオイル７は、防泡架台１００により異物８が取り除かれながら、泡立ちを起こさずに済み、内燃機関の性能を良好に保つことができる。
【００１９】
本実施例においては、多数の貫通孔１３を備えた異物トラップ板１１を傾斜板３上に重ね合わせることにより、有底穴１４を形成するようにしたが、このようにすると、異物８をトラップする有底穴１４の数やその深さを任意に設定し易くなるというメリットがある。もちろん、有底穴１４は、傾斜板３に直接設けてもよい。傾斜板４も傾斜板３と同様に形成することができる。傾斜板３、４は、耐腐食性の材質を選定するのが好ましい。
【産業上の利用可能性】
【００２０】
本発明は、内燃機関の各部を潤滑し、又は、冷却するオイルを回収する際に、オイルに気泡が混入することを回避する防泡架台に適用することができる。
【図面の簡単な説明】
【００２１】
【図１】請求項１〜３の発明を実施した防泡架台の斜視図である。
【図２】図１のハウジング内に設置する傾斜板の断面略図である。
【図３】オイルタンク上に設置した防泡架台のうち、傾斜板のみを示した側面図である。
【図４】従来の防泡架台の斜視図である。
【図５】ハウジングの内部を示す断面略図である。
【符号の説明】
【００２２】
１    支柱
２ａ、２ｂ  側板
３、４  傾斜板
５、６  傾斜板の下端
７    オイル
１０  ハウジング
１１、１２  異物トラップ板
１３  孔
１４  有底穴
２０  オイルタンク
１００  防泡架台
【図１】
2005042671.tif 000003
【図２】
2005042671.tif 000004
【図３】
2005042671.tif 000005
【図４】
2005042671.tif 000006
【図５】
2005042671.tif 000007